Podtech/llm-jp-corpus-v4-ja_patent huggingface dataset:
(57)【要約】【課題】頭部に十字溝が設けられたビス、ボルト類を、電動ドライバを使って締め付け等を行う作業では、プラスビットがビスの溝に正しく嵌め込まれていなければビットとビスの溝の間でスベリや外れが起こる。  この問題を防ぐには、ビスの向きに対し電動ドライバの向きを常に一致させておくことが必要であり、ドライバの向きが一致しているか否かを判断できる指標となるポイントとそれを備えた電動ドライバの開発が求められる。【手段】電動ドライバの向きを表すものとして、ドライバ本体前部の両脇にドライバ軸と平行して照射するレーザポインタを設けた。  作動中は前面の被加工物面にビス先端部と両脇から照射されているポイントマークの３点が指標の役割を果たし、中央のビスの点と両脇のポイントマークの位置関係を見ることで電動ドライバの向きが判り、正しい方向に修正維持することが出来る。【選択図】図２
2016007694.tif 000002
【特許請求の範囲】
【請求項１】
インパクトドライバ及び電動ドライバドリル（以下、電動ドライバ）の本体前面部のチャックを挟む両脇に（図１）レーザポインタとなるダイオード（１）を備えたもので、操作中は電動ドライバのチャックの両脇から軸と平行して前方にレーザビームを照射する機能を持った電動ドライバ。
【請求項２】
請求項１に示す電動ドライバの前面に備えるレーザダイオードは、ドライバ前面側から見て、ドライバ軸を中心とした直線上の両脇に等間隔で配置する。
【発明の詳細な説明】
【技術分野】
【０００１】  インパクトドライバ及び電動ドライバドリル（以下、電動ドライバ）は土木建築、種々の組み立て作業など幅広い分野で使われている。
本発明は、電動ドライバのプラスビットとビス及びボルト頭部に備えられた十字溝との間で生じるスベリや外れを予防又は、軽減するための機能を備えた電動ドライバに関するものである。
【背景技術】
【０００２】  プラスビットを使ったビスの締め付けは、ビス頭部に設けられた十字溝にプラスビットの先端を突き合わせた状態でビスに回転力を伝えて行くもので、正しく嵌め込まれていなければならない。
ビスやビットが長い場合や、作業の位置環境が悪くビスの向きと電動ドライバの向きが見通せない場合などには、ビスの向きに対しビットの向きを正しく合わせ保つことが難しくなりスベリや外れが起こる。
現在普及している電動ドライバには、ビスの向きに対しビットの向きを正しく合わせるための目安となる指標を備えたものは開発されておらず、作業者個々の技量（目視）に委ねられている。
【発明の概要】
【発明が解決しようとする課題】
【０００３】  電動ドライバのプラスビットとビス頭部の十字溝との間で生じるスベリや外れは、ビス頭部の十字溝にビット先端が正しく嵌め込まれていない状態で回転が加わることによりビットが十字溝から浮き出すことで起こる。  つまり、ビスの向きに対して電動ドライバの向きが一致していないことで起こる。
本発明では、ビスの向きに対して電動ドライバの向きが合っているか否かを知る明確な指標となるポイントを付与することでスベリや外れを予防、又は軽減しようとするものである。
【課題を解決するための手段】
【０００４】  図１に示すように、電動ドライバ本体前面部のチヤックの両脇にレーザポインタとなるダイオードを備えた。  このレーザポインタは、電動ドライバ軸の両脇に等間隔で、軸と平行して前方に照射するように組み込まれている。
このドライバ作動中は、前方の被加工物の面にビスを含む３点のポイント（指標）が確認出来るようにした。  ３点のポイントの中心はビスの先端部で、その両脇にレーザによるピンポイントマークが印される。（図２）従って、ビスの向きに対して電動ドライバの向きが一致していれば、３点のポイントは一直線上に並び、ビス先端部を中心に等間隔にマーキングされていることになる（図３（イ））
この方式では、手元の電動ドライバが左右のどちらかに傾いていれは、ビス先端と左右のレーザポイントの距離が異なり（図３（ロ））前後に倒れていると３点のポイントが一直線から外れる（図３（ハ））。  ドライバ操作中は、常にこの３点の位置関係を正しく保つよう電動ドライバの手元を調整し保持することでスベリや外れを予防、軽減することが出来る。
【発明の効果】
【０００５】  本発明の電動のドライバを使うことによって
１．  ビットのスベリや外れを予防、軽減出来るので作業効率が向上する。
２．  ビットの外れによって前方の被加工物面を傷つけることが少なくなる。
３．  スベリが少なくなることでビット先端部やビスの十字溝を傷めない。
４．  ビスの向きと電動ドライバの向きが見通せない場合でもレーザによるポイントマー      クが有効に働く。
５．  作業者の経験不足を補うことが出来る。
【図面の簡単な説明】
【０００６】
【図１】電動ドライバ本体前面（チャック側）のレーザポインタ配置図
【図２】作動中の電動ドライバの両脇からレーザポイント照射図
【図３】電動ドライバの向きを知る位置関係図
【発明を実施するための最良の形態】
【０００７】  本発明の実施の形態を説明する。
請求項１に示す電動ドライバの前面に装備するレーザポインタは、通常扱いで安全とされる［クラス２］以下で、ビーム径は２〜３ｍｍの視認性の良いものを備える。  その他、電動ドライバの制御機能については、  ビット先端部にビス頭部の十字溝を嵌め込み、目的の場所にビス先端部を合わせたあと、電動ドライバの手元スイッチを軽く押さえ、ドライバがゆっくり回り始める直前にレーザによるポイントを照射する機能を持たせる（これ等の機能は、ＬＥＤ照明付き電動ドライバにも採用されておりレーザポインタ以外は従来品と変わらない）。
実際の操作面では、前面に照射されている二つのレーザポイントとビス先端部の位置関係を確認しながら（図３）、スイッチ操作によって締め付けをするが、ビスが深く入ってゆくに従ってビット先端部に掛かる負荷が大きくなりビットが浮き出す力が働く。  更に、インパクト機能が働くと衝撃が加わるのでスベリや外れが起きやすくなる。  このような状況にあっても、ビスの向きに対して電動ドライバの向きが一致していれば、ビスの十字溝にビット先端が正しく嵌め込まれている状態なのでスベリや外れを抑制できる。
【図１】
2016007694.tif 000003
【図２】
2016007694.tif 000004
【図３】
2016007694.tif 000005
(57)【要約】 【課題】  本発明は、大型容器体を複数段に積み重ねても、安全かつ安定性良く保持することができる業務用のテーブルパンを提供することにより、テーブルパンにおける食材の収容とその容器体のスタッキングを確実に実現し、これらを運搬する場合でも、安心して行うことができる容器体を提供することを目的とするものである。 【解決手段】  任意形状と大きさに成る蓋板４の中央部に設けた凹陥部５の中央に指掛部６を蓋板面と同高に設け、このように成る蓋板の外周囲に凸高に成る突起列７を設け、この突起列の内側周面部８には傾斜面を形成し、このように成る蓋板の上面部に他容器体の底面部を載置しかつ前記蓋板の上面部の突起列の内側周面部に当接し得るように成るものである。【選択図】    図２
2016007321.tif 000002
【特許請求の範囲】
【請求項１】
任意形状と大きさに成る蓋板の中央部に設けた凹陥部の中央に指掛部を蓋板面と同高に設け、このように成る蓋板の外周囲に凸高に成る突起列を設け、この突起列の内側周面部には傾斜面を形成し、このように成る蓋板の上面部に他容器体の底面部を載置しかつ前記蓋板の上面部の突起列の内側周面部に当接し得るように成ることを特徴とするテーブルパン。
【発明の詳細な説明】
【技術分野】
【０００１】
本発明は、一般にテーブルパン又はホテルパンなどと呼ばれている業務用の大型容器に関するものである。
【背景技術】
【０００２】
ホテルや食堂などで調理用に広く使用されている金属製のホテルパン，テーブルパン，組パンなどと呼ばれている大型容器は、複数段に積み重ねて使用することが普通であるところ、容器体に被嵌する蓋板の中央部に設ける摘み部は蓋板平面部と平行面になるように設けられているが、蓋板上に複数段に積み重ねた場合に、上段の容器体が移動して滑り落ちるおそれがあった。
【０００３】
これに対して、次に例示するような食品容器のごときものが特許文献として存在する。
【先行技術文献】
【特許文献】
【０００４】
【特許文献１】特開２００２−３５５０１５号公報
【特許文献２】実登第３０１０６５３号公報
【０００５】
しかしながら、これらの容器体は、比較的大型のテーブルパン等には不向きな構造から成るものである。
【発明の概要】
【発明が解決しようとする課題】
【０００６】
そこで、本発明は、大型容器体を複数段に積み重ねても、安全かつ安定性良く保持することができる業務用のテーブルパンを提供することにより、テーブルパンにおける食材の収容とその容器体のスタッキングを確実に実現し、これらを運搬する場合でも、安心して行うことができる容器体を提供することを目的とするものである。
【課題を解決するための手段】
【０００７】
本発明は、任意形状と大きさに成る蓋板の中央部に設けた凹陥部の中央に指掛部を蓋板面と同高に設け、このように成る蓋板の外周囲に凸高に成る突起列を設け、この突起列の内側周面部には傾斜面を形成し、このように成る蓋板の上面部に他容器体の底面部を載置しかつ前記蓋板の上面部の突起列の内側周面部に当接し得るように成るものである。
【発明の効果】
【０００８】
各容器体に被嵌する蓋板の外周囲には、凸高に成る突起列とその内側周面部に傾斜面を設けていることにより、蓋板上に載置する他の容器体の底面部はその周囲を前記突起列に確実に包囲されることになるから、食材を収容中の容器体は下段容器体の上段部において、常に安定状態を保持されることができるようになる。
【０００９】
したがって、この容器体を運搬車により移動する場合であっても、滑り落ちることなく、安定状態のまま安全に場所移動をすることができるようになる。
【００１０】
のみならず、上段に積み重ねる容器体は下段の蓋板上に水平に載置する状態にあるから、容器体の収容量は減量されることなく、安定した状態で積み重ねることができるようになる。
【図面の簡単な説明】
【００１１】
【図１】本発明に係る蓋板の平面図
【図２】複数段に積み重ねた蓋板付き容器体の半截正面図
【図３】本発明に係る蓋板の半截正面図
【図４】公知の蓋板の半截正面図
【発明を実施するための形態】
【００１２】
図２に示すように、下段位に配置した容器体の上面開口部に蓋板を被嵌すると、蓋板中央の指掛部はその上面部が蓋板の平面部と面一状態にあるから、この蓋板の上面部に他の同一形態の容器体の底面部を載置すると、その底面部周囲には蓋板の凸高の突起列の内側周面部が当接して包囲するようになる。
【００１３】
図２において最上段に積み重ねられている容器体は公知の容器体であるが、これに代えて一・二段目の容器体と同一形態の容器体と蓋板から成る本容器体を載置しても全く問題はない。
【実施例】
【００１４】
１は任意形状と深さに成る金属製の容器体で、この容器体の外周縁部は任意形状に曲折した周縁部２を形成する。
【００１５】
３は前記容器体１のやや傾斜面に形成して成る周側面部で、この周側面部と底面部とは一体に形成する。
【００１６】
４は前記容器体１の開口部に被嵌する蓋板で、この蓋板本体は水平面に成るとともにその中央部には凹陥部５を形成し、この凹陥部の中央部には水平面に成る指掛部６を設ける。
【００１７】
７は前記水平面に成る蓋板４の外周囲部に形成した凸高の突起列で、この突起列の凸高の高さは任意である。また、この突起列７の形状は連続しても間断してもよい。
【００１８】
８は前記突起列７の内側周面部で、この内側周面部には傾斜面を形成する。
【００１９】
９は公知の別容器体で、図２の図面例では、この容器体の周側面部から底面部は、本発明に係る容器体１の開口部に被嵌する蓋板４の上面部に載置するとともにその蓋板の外周囲部に設けた前記凸高の突起列７に当接するようになる。
【００２０】
また、下段の容器体における蓋板の外周囲部に設けた凸高の突起列と上段の容器体の底面周側面部との載置による当接関係は図２に示すとおりである。
【符号の説明】
【００２１】
１                            容器体
２                            周縁部
３                            周側面部
４                            蓋板
５                            凹陥部
６                            指掛部
７                            突起列
８                            内側周面部
【図１】
2016007321.tif 000003
【図２】
2016007321.tif 000004
【図３】
2016007321.tif 000005
【図４】
2016007321.tif 000006
(57)【要約】      （修正有）【課題】就寝中の子供を風邪から守るため、布団を掛け直す必要のない寝具の巻付きまくれ防止用寝具を提供する。【解決手段】就寝時、寝返りなどで毛布１３や布団が身体に巻付いたり、まくれたりする事を防ぐ巻付まくれ防止寝具。この寝具を先に身体に掛けその上に毛布１３や布団を掛けて使用するもので、その両端は固定具に固定されている為、左右に大きく１８０度寝返りをしても身体の移動する動きは巻付まくれ防止寝具にさいぎられ、その上に掛けてある毛布１３や布団には伝わらないので毛布１３や布団が巻き付いたりまくれたりする事がなくなり又、けがや病気で手足が不自由な人にも大いに役立つものである。【選択図】図５
2016007523.tif 000002
【特許請求の範囲】
【請求項１】
就寝時、寝返りなどで毛布や布団が身体に巻き付いたり、まくれたりする事を防ぐ巻き付きまくれ防止寝具。この巻き付きまくれ防止寝具を先に身体に掛け、その上に毛布や布団を掛けて使うもので巻き付きにくく、丈夫で摩擦の少ない化学繊維が最適であり両端を子供用の柵のあるベットは柵に、柵のない他の寝具は専用の固定具に固定した状態で使用する。縦の長さは肩から足先迄を被う長さで横幅は肩から尻までは使用する人の体格によりＭ、Ｌ、ＬＬと異り、それぞれ適したものをえらび尻から先は肩や尻より細くなるためそれに応じて細くなっている。寝床に入りやすくするため肩位置の中央最上部より腰の位置くらいまで大型のファスナーを取付けこれを開き床に入り先に毛布や布団を掛け、その後にファスナーを引き上げ閉じて寝るものである。寝返りで左右に大きく１８０度動いても、その移動する動きは本発明の巻付まくれ防止寝具にさいぎられ、その上に掛けてある毛布や布団などへ伝わることがなく、巻付いたりまくれたりする事を防ぐものである。用途は子供だけでなく大人にも特に怪我や脳梗塞などの病気で手足が不自由な方にも大いに役立つものである。
【発明の詳細な説明】
【技術分野】
【０００１】就寝時、寝返りで上に掛けた毛布や布団が巻付いたり、まくれたりすることを防ぐものである。子供だけでなく大人にも、そして特に怪我や病気が元因で手足が不自由になってしまった人にも大いに役立つものである、脳梗塞を患った人は毛布などが巻き付き元に直すにも時間を要し睡眠の妨げにもなっている。
【背景技術】
【０００２】今までこのような物は無く親は夜中に何回もできる限り布団の掛け直しをやっていた。
【発明の開示】
【発明が解決しようとする課題】
【０００３】就寝中の子供を風邪から守るため親が布団を掛け直すことを夜中に何回も行っていたが一晩中見守り続けることはむずかしく、本発明は、この課題を解決するためになされたものである。
【課題を解決するための手段】
【０００４】本発明の摩擦の少ない素材でできた巻付めくれ防止寝具の両端を固定具に固定し、それを先に身体に掛けその上に他の寝具を掛け寝るもので寝返りで１８０度左右に動いても摩擦の少ない内側では身体のみが動き他の毛布や布団に身体の移動する動きは伝わらず脇があいたりする事はない。
尚、準備はきゅうくつになる位に体に合せる必要はなく、ゆるい位で十分役に立つ。
【発明の効果】
【０００５】親が子供を風邪から守るため就寝中の子供への布団掛けを夜中に何回も行ってはいても一晩中見守り続けることはむずかしく、本発明はこの課題を解決するものである、また怪我や病気で手足が不自由になってしまった人にも大いに役立つものであり、特にせきずい損傷や脳梗塞をわずらた人には巻き付いた布団をなおすことに時間を要し熟睡できる人は少なかった。
【実施例】
【０００６】本発明の巻付めくれ防止寝具の両端を固定具に固定し使用するもので、中央につけたファスナー２と、そして身体障害者用の両端にそれぞれ取付けたファスナー３、４のどちらか入りやすい方を開け敷布団に横たわり、その上へ毛布１３や布団１４などを掛けた後ファスナーを閉め寝るものである。
この本発明品は先に身体に掛け、その上に毛布や布団を掛けて使用するもので身体との摩擦が少ない素材と織方でできており左右への１８０度の寝返りでも身体のみが中で動き、その移動する動きは他の寝具に伝わることはなく安心して寝ることのできるものである。身体障害者用のファスナー３と４は手足が不自由な人がベットなどに左右どちらからでも入れるよう、両端にそれぞれ取付けてある。中央のファスナー２が肩位から腰ぐらいの長さに対し両端に付いているファスナー３．４は下まで下げて布団に入りやすくし、上から下まで上げ下げする時は、備え付けの上げ下げに棒を使って行う、尚ファスナー３．４のどちらか使う方と上げ下げ用の棒の先端とはひもでつなげて使う常備品である。
【図面の簡単な説明】
【０００７】
【図１】本発明の布地の元形の平面図
【図２】本発明の固定ひも部分の斜面図
【図３】本発明の平面図
【図４】本発明の敷固定具の斜視図
【図５】本発明の使用状態を示す斜視図
【図６】本発明の子供ベットでの使用状態を示す斜視図
【符号の説明】１  巻付まくれ防止寝具本体
２  敷布団に横になりやすくする為の中央大形ファスナー
３  身障者が左側から布団に入る時の左側大形ファスナー
４  身障者が右側から布団に入る時の右側大形ファスナー
５  固定ひも取付棒
６  固定ひも
７  身障者用ファスナー引上げ押し下げ棒
８  ファスナーと引上げ押し下げ棒をつなぐひも
９  敷固定具
１０  本体側からのむすびひも受け
１１  敷布団
１２  枕
１３  毛布
１４  掛布団
１５  子供用柵付ベット
１６  柵
１７  本体をベットの柵へ固定したところ
１８  本体元形布地
１９  固定ひも取付け棒入れ口
２０  固定ひも取付け穴
【図１】
2016007523.tif 000003
【図２】
2016007523.tif 000004
【図３】
2016007523.tif 000005
【図４】
2016007523.tif 000006
【図５】
2016007523.tif 000007
【図６】
2016007523.tif 000008
(57)【要約】【課題】洗濯ばさみの組立作業を軽減する。【解決手段】単純形状の洗濯ばさみを生産することにより生産効率を上げ組立作業を無くす或いは軽減する。一端に挟み部を有し他端に摘み部を備える一対の挟持片と、わ該挟持片同士を対向状態に前記挟み部先端側４にコ字状のバネ部材の二端がつながっていることを特徴とする洗濯ばさみ。【選択図】図１
2016007522.tif 000002
【特許請求の範囲】
【請求項１】
一端に挟み部を有し他端に摘み部を備える一対の挟持片と、わ該挟持片同士を対向状態に前記挟み部先端側にコ字状のバネ部材の二端がつながっていることを特徴とする洗濯ばさみ。
【請求項２】
一端に挟み部を有し他端に摘み部を備える一対の挟持片と、該挟持片同士を対向状態に前記摘み部先端側にコ字状のバネ部材の二端がつながっていることを特徴とする洗濯ばさみ。
【請求項３】
一端に挟み部を有し他端に摘み部を備える一対の挟持片と、該挟持片同士を対向状態に前記摘み部先端側にコ字状のバネ部材の二面が接着されていることを特徴とする洗濯ばさみ。
【請求項４】
一端に挟み部を有し他端に摘み部を備える一対の挟持片と、該挟持片同士を対向状態に前記摘み部先端側にコ字状のバネ部材の二面が埋設合体されていることを特徴とする洗濯ばさみ。
【発明の詳細な説明】
【技術分野】
【０００１】    本発明は洗濯ばさみに関する。
【背景技術】
【０００２】    従来の洗濯ばさみは、一対の挟持片とバネ部材を組み立てる作業を要する。
【発明の概要】
【発明が解決しようとする課題】
【０００４】    従来の洗濯ばさみは、一対の挟持片とバネ部材を組み立てる作業を要する為高価であった。
【課題を解決するための手段】
【０００５】    本発明はこの課題に着目し、洗濯ばさみを一体形成し、或いは組立作業の容易な安価な洗濯ばさみを提供することを目的とするものである。
【発明の効果】
【０００６】    作業効率が向上し、安価な洗濯ばさみを提供することができたものである。
【図面の簡単な説明】
【０００７】
【図１】  本発明の請求項１の実施例１の斜視図である。
【図２】  本発明の請求項１の実施例１の断面図である。
【図３】  本発明の請求項２の実施例２の斜視図である。
【図４】  本発明の請求項２の実施例２の断面図である。
【図５】  本発明の請求項３の実施例３の斜視図である。
【図６】  本発明の請求項３の実施例３の断面図である。
【図７】  本発明の請求項３の実施例４の斜視図である。
【図８】  本発明の請求項３の実施例４の断面図である。
【図９】  本発明の請求項４の実施例５の斜視図である。
【図１０】  本発明の請求項４の実施例５の断面図である。
【発明を実施するための形態】
【０００８】    本発明の洗濯ばさみの材料は、弾性金属或いは弾性樹脂或いは弾性金属・弾性樹脂の組み合わせで構成される。成形方法は押し出し成形或いは射出成形或いは機械加工（曲げ・圧着・溶接）で加工される。圧着・溶接は接着剤を使用することもある。
【実施例１】
【０００９】    図１の斜視図および図２の断面図に示すように、一端に挟み部１を有し他端に摘み部２を備える一対の挟持片と、該挟持片同士を対向状態に前記挟み部先端側４にコ字状のバネ部材３の二端がつながっている。
【実施例２】
【００１０】    図３の斜視図および図４の断面図に示すように、一端に挟み部１を有し他端に摘み部２を備える一対の挟持片と、該挟持片同士を対向状態に前記摘み部先端側５にコ字状のバネ部材３の二端がつながっている。
【実施例３】
【００１１】    図５の斜視図および図６の断面図に示すように、一端に挟み部１を有し他端に摘み部２を備える一対の挟持片と、該挟持片同士を対向状態に前記摘み部先端側にコ字状のバネ部材３の二面が接着されている。
【実施例４】    図７の斜視図および図８の断面図に示すように、一端に挟み部１を有し他端に摘み部２を備える一対の挟持片と、該挟持片同士を対向状態に前記摘み部先端側にコ字状のバネ部材３の二面が実施例３と逆方向に接着されている。
【実施例５】    図９の斜視図および図１０の断面図に示すように、一端に挟み部１を有し他端に摘み部２を備える一対の挟持片と、該挟持片同士を対向状態に前記摘み部先端側にコ字状のバネ部材３の二面が埋設合体されている。
【符号の説明】
【００１２】  １  挟み部
２  摘み部
３  コ字状のバネ部材
４  挟み部先端
５  摘み部先端
【図１】
2016007522.tif 000003
【図２】
2016007522.tif 000004
【図３】
2016007522.tif 000005
【図４】
2016007522.tif 000006
【図５】
2016007522.tif 000007
【図６】
2016007522.tif 000008
【図７】
2016007522.tif 000009
【図８】
2016007522.tif 000010
【図９】
2016007522.tif 000011
【図１０】
2016007522.tif 000012
(57)【要約】【課題】従来はボタン自体が一種の飾りの役目を果たしていたのでボタンに飾りを装着しアクセサリーとする事は皆無だった【解決の手段】本発明は着脱が簡単で衣服を傷つける事もない新感覚のアクセサリーとしてファッションの多様性が生まれる飾り留【選択図】図１
2016007521.tif 000002
【特許請求の範囲】
【請求項１】
アクセサリー本体にリング状のシリコンゴムを嵌め込みシリコンの伸縮性と柔軟性を利用してボタンに被せて留める
【発明の詳細な説明】
【技術分野】
【０００１】  衣服のボタンに被せアクセサリーとして留める仕掛け
【背景技術】
【０００２】  従来は見かけなかった新しい服飾アクセサリー【０００３】  全く新しいアクセサリーだが衣服やボタンを傷つける事もなく着脱が容易【０００４】  使用する大きさのボタンに合せた筒状のアクセサリーの内側にシリコンゴムを嵌め込みボタンに被せて留める
【発明の効果】
【０００５】  着脱が簡単で、同じ大きさのボタンならば衣服を選ばず、また性別に関係なく衣服の好みの部位に装着が可能
【図面の簡単な説明】
【０００６】
【図１】本発明の斜視図
【図２】本発明の使用図
【図３】本発明の構造図
【発明を実施するための形態】
【０００７】  以下本発明の使用形態を説明する
（イ）アクセサリー本体（１）の内側に（２）リング状のシリコンゴムを嵌め込む
（ロ）シリコンゴムをアクセサリー本体で伏せ込み固定する
本発明は以上の構造である
本発明を使用する時は装着を希望する箇所のボタンに直接上から被せるだけの簡単な操  作で衣服を傷つける事なく着脱が可能
【符号の説明】
【０００８】  １アクセサリー本体、２シリコンゴムリング、３衣服
【図１】
2016007521.tif 000003
【図２】
2016007521.tif 000004
【図３】
2016007521.tif 000005
(57)【要約】【課題】  爪切り用飛散防止品は、爪切り本体を囲むタイプの物が主流であるが、細かい爪かすの飛散は、くい止め難い。  以上のような問題を解決することを目的とする。【解決手段】  爪切り本体において、側面部分に切り目を設けた爪切り用飛散防止シールを貼り付ることにより、爪切りかすの飛散を防止しする。  以上の構成よりなる爪切り用飛散防止シールを提供する。【選択図】図２
2016007520.tif 000002
【特許請求の範囲】
【請求項１】
爪切りの本体において側面部分に、切り目を設けた爪切り用飛散防止シールを貼り付けることにより、爪切りかすの飛散を防止する爪切り用飛散防止シール。
【発明の詳細な説明】
【技術分野】
【０００１】  本発明は爪を切るさいに、切った爪が飛散することを防止する、爪切り用飛散防止シールに関する。
【背景技術】
【０００２】  爪切り用飛散防止品は、特許文献１の様な爪切り本体を囲む形の物、または、特許文献２ように爪切り行為そのものにカバーをするような物があげられる。
【先行技術文献】
【０００３】
【特許文献１】  特許公開２０１３−６３２７４公報
【特許文献２】  特許公開２０１１−１５９２６公報
【発明の概要】
【発明が解決しようとする課題】
【０００４】  現在においては、爪切り用飛散防止品は、特許文献１の様な爪切り本体を囲むタイプの物が主流であるが、細かい爪かすの飛散は、くい止め難い、さらに、爪切り用飛散防止品はプラスティック構造が主であるために、本来爪切り自体がもっている形状を損ない、使いにくい物になっている。
本発明は以上の問題を解決するものである。
【課題を解決するための手段】
【０００５】  爪切り本体において、側面部分に、切り目を設けた爪切り用飛散防止シールを貼り付け  ることにより、爪切りかすの飛散を防止する。
以上の構成よりなる爪切り用飛散防止シール。
【発明の効果】
【０００６】  本発明の爪切り用飛散防止シールは、爪切り本体の両側面に簡単に貼り付けることが出来、爪切り本体がボックス状になり、切った爪を確保したうえ、そのシールの粘着部分に細かい爪切りかすが付くことで、さらに、飛散を防止し、使用後も簡単に外して処分ができる。
本発明はシールから成り、プラスティック構造とはちがい、爪切り本体に貼り付け後も爪切り本来の握り心地や動きを損なわない。
【図面の簡単な説明】
【０００７】
【図１】本発明を爪切り本体の両側面に貼り付ける前の斜視図である。
【図２】本発明を爪切り本体の両側面に貼り付けた後の斜視図である。
【発明を実施するための形態】
【０００８】以下、本発明の実施の形態を説明する。
（イ）爪切り本体（１）の側面部分（２）に爪切り用飛散防止シール（３）を貼り付ける      ことにより、爪切り本体（１）をボックス状にする。
（ロ）爪切り用飛散防止シール（３）に切れ目（４）を設ける。
（ハ）爪切り本体（１）両側面に切り目（４）を設けた爪切り飛散防止シール（３）を貼      り付けることにより爪切りかすの飛散がない。
【符号の説明】
【０００９】１  爪切り本体
２  側面部分
３  爪切り用飛散防止シール
４  切り目
【図１】
2016007520.tif 000003
【図２】
2016007520.tif 000004
(57)【要約】      （修正有）【課題】エネルギー消費を伴う低露点エアーでなくてもドレン発生が起こらず、且つ新たなエネルギー消費も必要のない電磁弁を提供する。【解決手段】圧縮エアー流路に吸着剤２を組み込んだ電磁弁１が切り替わってエアーシリンダー７の後退動作にはいると、給気口から圧縮エアーが送られ吸着剤部２のエアー圧力は瞬時に上昇するので吸着剤２では高圧下での水分吸着作用が起こりチューブ側６にドライエアーが送られる。逆側のポートではチューブ側６から排気口への排気動作となり、吸着剤部２のエアー圧力は瞬時に低下し吸着剤２では水分の脱着作用が起こり、更にのど部３とチューブ６の流路抵抗により減圧した排気エアーが再生エアーとして流れて吸着剤２の再生を完全なものにする。【選択図】図１
2016196959.tif 000002
【特許請求の範囲】
【請求項１】
内部の圧縮エアー流路に吸着材を組み込むことで、エアーシリンダー側への充圧時にはエアー中の水分を吸着してドライエアーを送ることができ、且つ排圧時には減圧とエアーシリンダー側からの排気ブローで自然に吸着剤の再生ができる構造を有する電磁弁。
【発明の詳細な説明】
【技術分野】
【０００１】  本発明は、エアーシリンダー駆動用の電磁弁
【発明の概要】
【発明が解決しようとする課題】
【０００２】  圧縮エアーでエアーシリンダーを駆動する際に、排気側では圧縮エアーの断熱膨張による温度低下が起こり、圧縮エアー中の水分が結露してドレン化する。【０００３】  この発生ドレンによるエアーシリンダーや電磁弁の作動不良を防止するため、駆動エアー源にエアードライヤーを設置して供給するライン構成が一般的であるが、エアードライヤーでの多大なエネルギー消費が問題となる。【０００４】  そこで本発明では、エネルギー消費を伴う低露点エアーでなくてもドレン発生が起こらず、且つ新たなエネルギー消費も必要のない電磁弁を提供することを課題とする。
【課題を解決するための手段】
【０００５】  課題の解決のための本発明は、圧縮エアー流路に吸着剤２を組み込んだ構造を特徴とする電磁弁１である。【０００６】  電磁弁１が切り替わってエアーシリンダー７の後退動作にはいると、給気口から圧縮エアーが送られ吸着剤部２のエアー圧力は瞬時に上昇するので吸着剤２では高圧下での水分吸着作用が起こりチューブ側６にドライエアーが送られる。【０００７】  逆側のポートではチューブ側６から排気口への排気動作となり、吸着剤部２のエアー圧力は瞬時に低下し吸着剤２では水分の脱着作用が起こり、更にのど部３とチューブ６の流路抵抗により減圧した排気エアーが再生エアーとして流れて吸着剤２の再生を完全なものにする。
【発明の効果】
【０００８】  上記のように、電磁弁１自体が自然に圧力スイング式のエアードライヤーとして作用するため、多大なエネルギーの消費を伴う低露点エアーを必要とせず、且つ新たなエネルギー消費を全く伴わないエアーシリンダー７の駆動回路が構築できる。
【発明を実施するための形態】
【０００９】  以下、本発明の実施の形態を図１に基づいて説明する。
【００１０】  電磁弁本体１に、多孔支持金具３を用いて吸着剤２を組み込むだけの簡単な構造で、吸着剤２は球状、円柱状、ハニカム状等、特に形状は問わない。
【００１１】  エアーシリンダー７が後退動作の場合は、電磁弁が作動して電磁弁給気口から圧縮エアーの給気が始まり、吸着剤部２の圧力は瞬時に上昇する。
【００１２】  その結果、圧縮エアーは高圧下でゆっくりと吸着剤２を通過するので水分が吸着されてドライエアーとなり、チューブ６を通じてエアーシリンダー７に給気されるので、次の排気時に断熱膨張による温度低下が起こっても水分の結露は起こらない。
【００１３】  次に電磁弁１が切り替わってエアーシリンダーの前進動作に移ると排気口から圧縮エアーの排気が始まり、吸着剤部２の圧力は瞬時に低下し、吸着剤では吸着水分の減圧脱着が起こる。
【００１４】  更に、吸着剤部２をエアーシリンダー７からの排気が低圧で流れて残留水分を脱着し、吸着剤２の再生を完全なものにする。
【００１５】  もう一方のポートではこれと全く反対の動作が行われる。
【００１６】  この電磁弁内で、高圧下での吸着と減圧ブロー脱着を繰り返すという吸着剤２の操作は圧力スイング式エアードライヤーの原理そのものであり、結露ドレンによる作動不良の無いエアーシリンダーの駆動回路が構築できる。
【図面の簡単な説明】
【００１７】
【図１】本発明の実施形態を示す電磁弁の断面図
【符号の説明】
【００１８】  １  電磁弁本体
２  吸着剤
３  多孔支持金具
４  のど部
５  チューブ継ぎ手
６  チューブ
７  エアーシリンダー
【図１】
2016196959.tif 000003
(57)【要約】      （修正有）【課題】エネルギー消費を伴う低露点エアーでなくてもドレン発生が起こらず、且つ新たなエネルギー消費も必要のない電磁弁を提供する。【解決手段】水分分離膜モジュール２を組み込んだ電磁弁１の給気口には圧縮エアーが送られエアー圧力は常に高圧下に保たれ、水分分離膜３の外側は排気口に接続されているので大気圧開放状態となる。電磁弁１が切り替わるたびに、エアーシリンダー４からの排気エアーが水分分離膜３の外側を低圧で流れ、水分分離膜３の中空内を圧縮エアーが流れるので、圧縮エアーから排気エアーへ水分分離膜３を通じて水分の透過が起こりエアーシリンダー４にドライエアーが送られる。電磁弁１自体が排気エアーを除湿パージに利用する水分分離膜式エアードラーヤー機能を持つため、多大なエネルギーの消費を伴う低露点エアーを必要とせず、且つ新たなエネルギー消費を全く伴わないエアーシリンダー４の駆動回路が構築できる。【選択図】図１
2016196960.tif 000002
【特許請求の範囲】
【請求項１】
内部の圧縮エアー流路に水分分離膜モジュールを組み込み、エアーシリンダー側への給気エアーが水分分離膜の中空内を、エアーシリンダー側からの排気エアーが水分分離膜の外側を除湿ブローエアーとして流れて、給気エアーの除湿を行う、エアードライヤー機能を持つ電磁弁。
【発明の詳細な説明】
【技術分野】
【０００１】  本発明は、エアーシリンダー駆動用の電磁弁に関する。
【発明の概要】
【発明が解決しようとする課題】
【０００２】  圧縮エアーでエアーシリンダーを駆動する際に、排気側では圧縮エアーの断熱膨張による温度低下が起こり、圧縮エアー中の水分が結露してドレン化する。【０００３】  この発生ドレンによるエアーシリンダーや電磁弁の作動不良を防止するため、駆動エアー源にエアードライヤーを設置して供給するライン構成が一般的であるが、エアードライヤーでの多大なエネルギー消費が問題となる。【０００４】  そこで本発明では、エネルギー消費を伴う低露点エアーでなくてもドレン発生が起こらず、且つ新たなエネルギー消費も必要のない電磁弁を提供することを課題とする。
【課題を解決するための手段】
【０００５】  課題の解決のための本発明は、圧縮エアー給気流路に水分分離膜モジュール２を組み込んだ構造を特徴とする電磁弁１である。【０００６】  電磁弁１の給気口には圧縮エアーが送られエアー圧力は常に高圧下に保たれ、水分分離膜３の外側は排気口に接続されているので大気圧開放状態となる。【０００７】  電磁弁１が切り替わるたびに、エアーシリンダー４からの排気エアーが水分分離膜３の外側を低圧で流れ、水分分離膜３の中空内を圧縮エアーが流れるので、圧縮エアーから排気エアーへ水分分離膜３を通じて水分の透過が起こりエアーシリンダー４にドライエアーが送られる。
【発明の効果】
【０００８】  上記のように、電磁弁１自体が排気エアーを除湿パージに利用する水分分離膜式エアードラーヤー機能を持つため、多大なエネルギーの消費を伴う低露点エアーを必要とせず、且つ新たなエネルギー消費を全く伴わないエアーシリンダー４の駆動回路が構築できる。
【発明を実施するための形態】
【０００９】  以下、本発明の実施の形態を図１に基づいて説明する。
【００１０】  電磁弁１の給気ポートに、水分分離膜モジュール２を組み込むだけの簡単な構造である。
【００１１】  エアーシリンダー４が動作する場合は必ず、エアーシリンダー４からの排気が起こるがその排気エアーが水分分離膜３の外側を流れるようにする。
電磁弁が切り替ると圧縮エアーは水分分離膜３の中空内を通ってエアーシリンダー４へ流れる。
【００１２】  このとき、水分分離膜３の外側にはエアーシリンダー４からの排気エアーが低圧で流れるので、水蒸気圧の高い圧縮エアーから水蒸気圧の低い排気エアーへ水分分離膜３を通じた水分透過がおこる。
【００１３】  この除湿作用の結果、エアーシリンダー４へ送られる圧縮エアーは常にドライエアーとなり、次の排気時に断熱膨張による温度低下が起こっても水分の結露は起こらないので、結露ドレンによる作動不良の無いエアーシリンダーの駆動回路が構築でき、且つ新たなエネルギーの消費も必要としない。
【図面の簡単な説明】
【００１４】
【図１】本発明の実施形態を示す電磁弁の断面図
【符号の説明】
【００１５】  １  電磁弁本体
２  水分分離膜モジュール
３  ２を構成する水分分離膜
４  エアーシリンダー
【図１】
2016196960.tif 000003
(57)【要約】      （修正有）【課題】単段自転車では坂道や向かい風では足の負担非常に大きくなる。多段自転車では一番大きいギヤーで走行するとスピード落ちる為ペダル踏む回転数を上げなくてわならない欠点がある。坂道や向かい風でも楽に走行できる様するために、ペダルを踏み１回転で２回転に回転増幅させる事に依り、後輪のスプロケットを大きくする事が出来る様することを可能にする。【解決手段】円盤形の金属板１に穴を明けボトムブラケット６の外周に取り付けして増幅用の大小一体の歯車付けて回転数を増幅させるものであるペダル踏み１回転で２倍回転するスプロケットに改良すると単段自転車では後輪スプロケット大きく出来るので足の負担軽減が出来る多段自転車では一番大きいギヤー走行しても通常のペダル踏みで良いのでスピード落ちず足への負担も楽になる【選択図】図５
2016196280.tif 000002
【特許請求の範囲】
【請求項１】
円盤形の金属板に複数個の穴を明けて  自転車のボトムブラケットの外周に固定して取り付ける事
【請求項２】
円盤形の金属板に複数個の穴を明けた  穴に大少一体で回る増幅用の歯車付けて自転車のボトムブラケットの外周に固定して取り付ける事
【発明の詳細な説明】
【技術分野】
【０００１】  本発明は円盤形の金属板に複数個の穴を明け  そこに増速用の歯車を取りつけ  それをボトムブラケットの外周に固定して取り付けたものである  ペダル１回転でスプロケット２回転に増幅させるものである  そして後輪スプロケット大きくする特徴である
【背景技術】
【０００２】  従来の単段自転車では坂道や向かい風では足の負担が大きくなる  欠点がある
【発明が解決しようとする課題】
【０００３】  この発明で坂道や向かい風でも楽に走行できる様するためには  ペダル踏み１回転で２回転に回転増幅させる事に依り  後輪のスプロケット大きくする事が出来る様するのが目的である  又  歯車が増える事で少しの力のロスはあるが後輪スプロケット大きく成る方がメリットが大きくなる
【問題解決するための手段】
【０００４】  本案を図面にて説明すれば  図１は正面図である  （１）円盤形の金属板である  穴（２）は図２の大小歯車を取り付ける穴である  穴（３）はボトムブラケットの外周に取り付けする為の穴である
図２は斜視図である  増幅の為（４）と（５）が一体と成って回る歯車である
図３は左面図である  （１）円盤形の金属板を（６）のボトムブラケットの外周に取り付けたものである  （４）と（５）は金属板の穴に取り付けた一体で回る歯車である  （７）はクランク軸である
図４は背面図である  （８）の内歯歯車を（９）の円盤形の金属板に取り付けたものである  （１０）は（７）のクランク軸に固定して取り付ける為の穴である
図５は断面図である  （９）金属板に（８）内歯歯車付けたものを（７）のクランク軸に固定して取り付けたものである  以上の様な講造である
図６は背面図である  （４）の歯車に（１１）チエーンやベルトどちらでも掛けられる  仕様に出来る  チエーンの掛かる角度三角に成るが  その方がチエーンの掛かりが良くなる      使用方法は（図５）で説明すると  ペダル踏み込み（７）クランク軸シヤフトに固定された（９）円盤形の金属板に付けた（８）内歯歯車を回転させ増幅用歯車（５）と（４）回す講造である  （４）にチエ‐ン  又わベルト掛けるものである  （４）の歯車はチエーン又わベルト仕様に変更できる
【発明の効果】
【０００５】  ペダル踏み１回転で２回転にスプロケット回転数上げられるので  後輪のスプロケット大きく出来る  坂道や向かい風でも楽に走行でき  足の負担も軽減できる  又多段自転車では一番大きいギヤーで走行すると  スピード落ちるのでペダル踏む回転数上げなくては  ならないがスプロケット回転数を増幅すると通常のペダル踏みで良くなるので楽に走行が出来る様になる
【図面の簡単な説明】
【０００６】
【図１】  発明の正面図である
【図２】  発明の斜視図である
【図３】  発明の左側面図である
【図４】  発明の背面図である
【図５】  発明の断面図である
【図６】  発明の背面図である
【発明を実施する為の形態】
【０００７】  本発明は円盤形の金属板に穴を明け回転増幅用の  大小一体で回る歯車を取り付けてボトムブラケットの外周に取り付けたものである
使用方法はクランク軸に固定して取り付けた  円盤形の金属板に内歯歯車を取りつけてペダル踏み回転させ増幅用の歯車で回転を２倍にして後輪のスプロケット大きくするものである  歯車の大きさ調整する事に依り回転の速さも調整する事が出来る  又  チエーン  ベルトどちらでも使用可能である
【符号の説明】
【０００８】  （１）    円盤形の金属板
（２）    増幅用の歯車取り付け穴
（３）    ボトムブラケットに取り付けるための穴
（４）    回転増幅用の一体で回る歯車  大きい方
（５）    回転増幅用の一体で回る歯車  小さい方
（６）    ボトムブラケット
（７）    クランク軸
（８）    リング状の内歯歯車
（９）    円盤形の金属板
（１０）  クランク軸に取り付ける為の穴
（１１）  チエーン
【図１】
2016196280.tif 000003
【図２】
2016196280.tif 000004
【図３】
2016196280.tif 000005
【図４】
2016196280.tif 000006
【図５】
2016196280.tif 000007
【図６】
2016196280.tif 000008
(57)【要約】      （修正有）【課題】乗用車に人が乗車時に、巨大な津波や大規模な洪水に遭遇した時に、人命を救助できる装置を提供する。【解決手段】乗用車等の前部バンパー、後部バンパー、車体横の構造フレームの左側、右側に浮き袋１の装備を可能な構造にして、津波や大洪水に遭遇した乗用車等が、人を乗せたまま潮流や濁流に浮いて漂い、そのまま人命を救助する。【選択図】図１
2016196282.tif 000002
【特許請求の範囲】
【請求項１】
車等の前部バンパー（１）、後部バンパー（２）、構造フレーム左（３）、右（４）の内部の構造（５）を利用して、あらかじめ小さく折りたたんで装着した浮き袋本体（６）が、特殊なガス（７）で瞬間的に膨らみ（８）、浮き袋が車等の周囲（８）に完成する。
【発明の詳細な説明】
【技術分野】
【０００１】この発明は、世界で初めて。類似技術はない、又は不明。
【背景技術】
【０００２】
【先行技術文献】
【特許文献】
【０００３】
【特許文献１】
【非特許文献】
【０００４】
【非特許文献１】
【発明の概要】
【発明が解決しようとする課題】
【０００５】巨大な津波や大規模な洪水に遭遇した場合、これまで多数の人命が失われた。
その様な場合、陸上ではほとんどの人々は、高台へ逃げる。車で逃げようとするが、多数の車が殺到して身動きできず、逃げ遅れる最悪のケースが多かった。人が乗ったまま津波や洪水に浮いて漂流できれば、人命を救う機会は画期的に増える。
【課題を解決するための手段】
【００００】乗用車等の前部バンパー、後部バンパー、車体横の構造フレームの左側、右側に浮き袋の装備を可能な構造にして、津波や大洪水に遭遇した乗用車等が、人を乗せたまま潮流や濁流に浮いて漂い、そのまま人命を救助することを目指したものである。
【発明の効果】
【００００】津波襲来の場面を写真等でつぶさに観察すると、漁船、貨物船や箱状の物入れなど、水が入らない構造の鉄製品等は多数が、ぷかぷか浮いて移動する。
車等は、そのままではエンジンルームに浸水。やがて車内に浸水し、結果的に人命をも失われた。そこで、海難事故で人命を救うゴムボートのように、人が乗ったまま、浮き袋が車等の周囲に張り付く構造にして、車等を直接水に浮かべてしまえば、短時間で終わる津波や、大洪水に遭遇したケースでも、多くの人命を救助できる可能性が、きわめて大きくなる。
【図面の簡単な説明】
【００００】
【図１】本発明の平面、横面イメージ図である。別紙添付。
2016196282.tif 000003
【手続補正書】
【提出日】平成27年6月3日(2015.6.3)
【手続補正２】
【補正対象書類名】明細書
【補正対象項目名】全文
【補正方法】変更
【補正の内容】
【発明の詳細な説明】
【技術分野】
【０００１】  この発明は世界で初めて。類似発明はない、又は不明。
【背景技術】
【０００２】  先発技術として、衝突事故の時、運転者等を保護する目的で車内にセットされるエアバッグ同類の技術を応用できる。
【先行技術文献】
【特許文献】
【０００３】
【特許文献１】  不明
【非特許文献】
【０００４】
【非特許文献１】
【発明の概要】
【発明が解決しようとする課題】
【０００５】巨大な津波や洪水に遭遇した場合、これまで多数の人命が失われた。そのような場合、陸上ではほとんどの人々は、高台へ向かう。車で逃げようとするが、多数の車が殺到して身動きできず、逃げ遅れる最悪のケースが多かった。人が乗ったまま津波や洪水に浮いて漂流できれば、人命を救う機会は画期的に増える。
【課題を解決するための手段】
【０００６】乗用車等の前部バンパー、後部バンパー、車体横の構造フレームの左側、右側に浮き袋の装備を可能な構造にして、津波や大洪水に遭遇した乗用車等が、人を乗せたまま潮流や濁流に浮いて漂い、そのまま人命を救助することを目指したものである。
【発明の効果】
【０００７】津波襲来の場面を写真等でつぶさに観察すると、漁船、貨物船や箱状の物入れなど、水が入らない構造の鉄製品等は多数が、ぷかぷか浮いて移動する。車等はそのままではエンジンルームに浸水。やがて車内に浸水し結果的に人命も失われた。そこで、海難事故で人命を救うゴムボートのように、人が乗ったまま、浮き袋が車等の周囲に張り付く構造にして、車等を直接水に浮かべてしまえば、短時間で終わる津波や大洪水に遭遇したケースでも、多くの人命を救助できる可能性が、極めて大きくなる。
【図面の簡単な説明】
【０００８】
【図１】  本発明の平面的イメージ図である。
【図２】  本発明の横面的イメージ図である。
【符号の説明】
【手続補正３】
【補正対象書類名】図面
【補正対象項目名】全図
【補正方法】変更
【補正の内容】
【図１】
2016196282.tif 000004
【図２】
2016196282.tif 000005
(57)【要約】【課題】本発明は、小さい力で挟持物の挿入口を生じさせることができ、かつ、挟持物を挟持する際の挟持物の掛けしろを十分確保できるクリップを提供することを課題としている。【解決手段】挟持物を挟持したときに挟持物の端に当接する部分とその近辺を除いた部分が二重になっており、その二重になっている部分は同じ平面上にあり、内周部に設けた押さえ部以外の部分では近接しており、挟持物を挟持したときに挟持物の最も内側に達する外周部の先端部は、外側に凸の形状をしており、  先端部に対向する内周部には内側に凸の形状の押さえ部が形成されており、挟持物を挟持するときには、外周部の先端部を挟持物に当て、内周部の押さえ部を指先で押さえて外周部と内周部の間に隙間を形成して挟持物を挿入する、構成とした。【選択図】図１
2016196140.tif 000002
【特許請求の範囲】
【請求項１】
線材を折り曲げ加工したクリップであって、
挟持物を挟持したときに挟持物の端に当接する部分とその近辺を除いた部分が二重になっており、
その二重になっている部分は同じ平面上にあり、内周部に設けた押さえ部以外の部分では近接しており、
挟持物を挟持したときに挟持物の最も内側に達する外周部の先端部は、外側に凸の形状をしており、
先端部に対向する内周部には内側に凸の形状の押さえ部が形成されており、
挟持物を挟持するときには、外周部の先端部を挟持物に当て、内周部の押さえ部を指先で押さえて外周部と内周部の間に隙間を形成して挟持物を挿入する、
クリップ。
【請求項２】
略五角形をしたクリップであって、先端部の外側に凸の形状が五角形の１頂角である請求項1に記載されたクリップ。
【請求項３】
略三角形をしたクリップであって、先端部の外側に凸の形状が三角形の１頂角である請求項1に記載されたクリップ。
【請求項４】
略円形をした請求項1に記載されたクリップ。
【発明の詳細な説明】
【技術分野】
【０００１】
この発明は、線材を折り曲げ加工したクリップに関する。
【背景技術】
【０００２】
書類を挟持するものとしてゼムクリップが汎用されているが、挟持物を挟持するときには、湾曲部が一重の側をつまんで、湾曲部が二重になっている側の外側湾曲部だけを挟持物の表面に当てて、挟持物の表面に垂直な方向に力を加えることにより、外側湾曲部と内側湾曲部の向きを変えて挟持物の挿入口を生じさせ、ゼムクリップを挟持物の平面方向に押し込んでいる。この際、内側湾曲部に直接力を加えることができれば、小さい力で外側湾曲部と内側湾曲部の向きを変えることができるが、ゼムクリップの幅が狭いのでそうすることができない。
【０００３】
この課題を解決するものとして、内周部に押さえ部を設けた略正方形のクリップが考案されている。（例えば、特許文献1参照。）
【先行技術文献】
【特許文献】
【０００４】
【特許文献１】特開平８−３２４１７０号公報
【発明の概要】
【発明が解決しようとする課題】
【０００５】
しかしながら、特許文献１に記載されたクリップは、挟持物の挿入方向の外周部が直線であるかゆるい円弧になっており、挟持物を挟持するときに挟持物の表面に当てる掛けしろの深さを十分とることができない。
また、挟持物を挟持したときに最も深く挿入される部分で外周部と内周部が離れている部分の長さが長く、挟持力に寄与することが少ない。
【０００６】
本発明は、小さい力で挟持物の挿入口を生じさせることができ、かつ、挟持物を挟持する際の挟持物の掛けしろを十分確保できるクリップを提供することを課題としている。
【課題を解決するための手段】
【０００７】
上記の目的を達成するために、本発明のクリップは、挟持物を挟持したときに挟持物の端に当接する部分とその近辺を除いた部分が二重になっており、その二重になっている部分は同じ平面上にあり、内周部に設けた押さえ部以外の部分では近接しており、挟持物を挟持したときに挟持物の最も内側に達する外周部の先端部は、外側に凸の形状をしており、  先端部に対向する内周部には内側に凸の形状の押さえ部が形成されており、挟持物を挟持するときには、外周部の先端部を挟持物に当て、内周部の押さえ部を指先で押さえて外周部と内周部の間に隙間を形成して挟持物を挿入する、構成とした。
【０００８】
形状としては、略五角形、略三角形や略円形が考えられる。
【発明の効果】
【０００９】
本発明のクリップは、先端部２ａが緩い円弧ではなく、鋭く凸になっているので、挟持物を挟持する際クリップを挟持物に掛ける掛けしろの幅の長さＬを十分な大きさにすることができ、挟持するのが容易である。
また、外周部と内周部が、押さえ部以外の部分では近接しており、挟持力を大きくしている。
【図面の簡単な説明】
【００１０】
【図１】本発明（請求項２）のクリップの実施例の斜視図である。
【図２】本発明（請求項３）のクリップの実施例の斜視図である。
【図３】本発明（請求項４）のクリップの実施例の斜視図である。
【発明を実施するための形態】
【００１１】
発明を実施するための形態は、図１から」図３までのとおりである。
【符号の説明】
【００１２】
１    本発明のクリップ
２    外周部
２ａ  先端部
３    内周部
３ａ  押さえ部
４    基部
【図１】
2016196140.tif 000003
【図２】
2016196140.tif 000004
【図３】
2016196140.tif 000005